【事件の表示】
　特願２００１−３６２７４４「印刷装置、インクユニット、情報を記憶可能な素子、及び、コンピュータシステム」拒絶査定不服審判事件〔平成１５年　６月　３日出願公開、特開２００３−１５９８０８〕について、次のとおり審決する。
【結　論】
　本件審判の請求は、成り立たない。
【理　由】
１．出願の経緯
　本願は、平成１３年１１月２８日の出願であって、平成１７年１１月２５日付け拒絶理由通知に対して、平成１８年１月２６日付けで手続補正がなされたが、同年３月３日付けで拒絶査定され、これに対し、同年４月６日に拒絶査定不服審判が請求されるとともに、同年５月２日付けで明細書の手続補正がなされたものである。
　
　
　
２．平成１８年５月２日付けの手続補正についての補正却下の決定
［補正却下の決定の結論］
　平成１８年５月２日付けの手続補正（以下、「本件補正」という。）を却下する。
　
［理　由］
２−１．本件補正について
　本件補正は、特許請求の範囲及び発明の詳細な説明についてするものであり、その補正前後の特許請求の範囲の記載は次のとおりのものである。
　
（本件補正前の特許請求の範囲：平成１８年１月２６日付け手続補正書）
「【請求項１】　情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
　前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。
【請求項２】　請求項１に記載の印刷装置において、
　前記ＩＤ情報は、前記素子が前記インクユニットに取り付けられる前に、該素子に記憶させられた該素子固有の情報であることを特徴とする印刷装置。
【請求項３】　請求項１又は請求項２に記載の印刷装置において、
　前記インクユニットは、前記インクユニット支持部材に対して着脱自在であることを特徴とする印刷装置。
【請求項４】　請求項１乃至請求項３に記載の印刷装置において、
　前記インクユニット支持部材は移動可能であって、
　前記読み取り部材が前記移動方向先頭に配置されたインクユニットに備えられた素子に記憶された情報を読み取ることのできる位置に、前記インクユニット支持部材を移動させて、該読み取り部材が該素子に記憶されたＩＤ情報を読み取った後に、
　ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、
　前記読み取り部材が、未だＩＤ情報の読み取りを終えていない素子に記憶されたＩＤ情報を読み取ることを特徴とする印刷装置。
【請求項５】　請求項１乃至請求項４のいずれかに記載の印刷装置において、
　前記インクユニット支持部材に配列された複数のインクユニットについてＩＤ情報を読み込み、該インクユニット支持部材における配列順番と、該インクユニットに備えられた前記素子に記憶されたＩＤ情報との関係を特定した後に、
　前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。
【請求項６】　請求項１乃至請求項５のいずれかに記載の印刷装置において、
　前記インクユニット支持部材は移動可能であって、
　前記読み取り部材が複数の素子から情報を読み取ることのできる位置に、前記インクユニット支持部材を移動させて、
　前記ＩＤ情報によって各素子を識別しつつ、前記読み取り部材が、各素子に記憶されたＩＤ情報以外の情報を読み取ることを特徴とする印刷装置。
【請求項７】　請求項６に記載の印刷装置において、
　前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
　前記ＩＤ情報によって各素子を識別しつつ、前記読み取り部材が、各素子に記憶されたＩＤ情報以外の情報を読み取ることを特徴とする印刷装置。
【請求項８】　情報を記憶可能な素子を備え、インクユニット支持部材に複数配列され、印刷装置本体に設けられた読み取り部材により、該素子に記憶された情報を非接触にて読み取られるインクユニットにおいて、
　前記インクユニットに備えられた素子に記憶されたＩＤ情報が、前記読み取り部材によって読み取られ、該インクユニットの前記インクユニット支持部材における配列順番と、該インクユニットに備えられた前記素子に記憶されたＩＤ情報との関係が前記印刷装置によって特定した後に、前記ＩＤ情報によって各素子を識別されつつ、前記読み取り部材が、前記インクユニット支持部材に配列されたインクユニットに備えられた各素子に記憶されたＩＤ情報以外の情報を前記印刷装置によって読み取られることを特徴とするインクユニット。
【請求項９】　請求項８に記載のインクユニットにおいて、
　前記ＩＤ情報は、前記素子が前記インクユニットに取り付けられる前に、該素子に記憶させられた該素子固有の情報であることを特徴とするインクユニット。
【請求項１０】　請求項８又は請求項９に記載のインクユニットにおいて、
　前記インクユニットは、前記インクユニット支持部材に対して着脱自在であることを特徴とするインクユニット。
【請求項１１】　情報を記憶可能であって、インクユニットに備えられて、該インクユニットとともにインクユニット支持部材に複数配列され、印刷装置本体に設けられた読み取り部材により、記憶された情報を非接触にて読み取られる素子において、
　前記素子に記憶されたＩＤ情報が、前記読み取り部材によって読み取られ、前記インクユニットの前記インクユニット支持部材における配列順番と、前記素子に記憶されたＩＤ情報との関係が前記印刷装置によって特定した後に、前記ＩＤ情報によって各素子を識別しつつ、前記読み取り部材が、前記インクユニット支持部材に配列されたインクユニットに備えられた各素子に記憶されたＩＤ情報以外の情報を前記印刷装置によって読み取られることを特徴とする素子。
【請求項１２】　請求項１１に記載の素子において、
　前記ＩＤ情報は、前記素子が前記インクユニットに取り付けられる前に、該素子に記憶させられる該素子固有の情報であることを特徴とする素子。
【請求項１３】　コンピュータ本体、このコンピュータ本体に接続される表示装置、及び、前記コンピュータ本体に接続される印刷装置であって、情報を記憶可能な素子を備えた複数のインクユニットと、前記複数のインクユニットが配列されたインクユニット支持部材と、前記素子に記憶された情報を非接触にて読み取る読み取り部材とを有し、前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取る印刷装置、を具備することを特徴とするコンピュータシステム。
【請求項１４】　情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
　前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定する印刷装置であり、
　前記ＩＤ情報は、前記素子が前記インクユニットに取り付けられる前に、該素子に記憶させられた該素子固有の情報であり、
　前記インクユニットは、前記インクユニット支持部材に対して着脱自在であり、
　前記インクユニット支持部材は移動可能であって、前記読み取り部材が前記移動方向先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、前記読み取り部材が、未だＩＤ情報の読み取りを終えていない素子に記憶されたＩＤ情報を読み取り、
　前記インクユニット支持部材に配列されたインクユニットすべてについて、該インクユニット支持部材における配列順番と、該インクユニットに備えられた前記素子に記憶されたＩＤ情報との関係を特定した後に、
　前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
　前記ＩＤ情報によって各素子を識別しつつ、前記読み取り部材が、各素子に記憶されたＩＤ情報以外の情報を読み取ることを特徴とする印刷装置。
【請求項１５】　情報を記憶可能な素子を備えた複数のインクユニットと、前記複数のインクユニットが配列された移動可能なインクユニット支持部材と、前記素子に記憶された情報を非接触にて読み取る読み取り部材とを有する印刷装置において、
　前記インクユニット支持部材は、前記読み取り部材がＩＤ情報を読み取った後に、前記読み取り部材が複数のインクユニットに備えられた素子に記憶された情報をそれぞれ読み取ることのできる位置に移動し、該位置にて該読み取り部材が該情報をそれぞれ読み取ることを特徴とする印刷装置。」
　
（本件補正後の特許請求の範囲）
「【請求項１】　情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
　前記インクユニット支持部材に配列された前記複数のインクユニットすべてについて、前記読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。
【請求項２】　請求項１に記載の印刷装置において、
　前記ＩＤ情報は、前記素子が前記インクユニットに取り付けられる前に、該素子に記憶させられた該素子固有の情報であることを特徴とする印刷装置。
【請求項３】　請求項１又は請求項２に記載の印刷装置において、
　前記インクユニットは、前記インクユニット支持部材に対して着脱自在であることを特徴とする印刷装置。
【請求項４】　請求項１乃至請求項３に記載の印刷装置において、
　前記インクユニット支持部材は移動可能であって、
　前記読み取り部材が前記移動方向先頭に配置されたインクユニットに備えられた素子に記憶された情報を読み取ることのできる位置に、前記インクユニット支持部材を移動させて、該読み取り部材が該素子に記憶されたＩＤ情報を読み取った後に、
　ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、
　前記読み取り部材が、未だＩＤ情報の読み取りを終えていない素子に記憶されたＩＤ情報を読み取ることを特徴とする印刷装置。
【請求項５】　請求項１乃至請求項４のいずれかに記載の印刷装置において、
　前記インクユニット支持部材は移動可能であって、
　前記読み取り部材が複数の素子から情報を読み取ることのできる位置に、前記インクユニット支持部材を移動させて、
　前記ＩＤ情報によって各素子を識別しつつ、前記読み取り部材が、各素子に記憶されたＩＤ情報以外の情報を読み取ることを特徴とする印刷装置。
【請求項６】　請求項５に記載の印刷装置において、
　前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
　前記ＩＤ情報によって各素子を識別しつつ、前記読み取り部材が、各素子に記憶されたＩＤ情報以外の情報を読み取ることを特徴とする印刷装置。
【請求項７】　情報を記憶可能な素子を備え、インクユニット支持部材に複数配列され、印刷装置本体に設けられた読み取り部材により、該素子に記憶された情報を非接触にて読み取られるインクユニットにおいて、
　前記インクユニット支持部材に複数配列されたインクユニットすべてについて、前記インクユニットに備えられた素子に記憶されたＩＤ情報が、前記読み取り部材によって読み取られ、前記複数配列されたインクユニットすべてについて前記インクユニット支持部材における配列順番と、該インクユニットに備えられた前記素子に記憶されたＩＤ情報との関係が前記印刷装置によって特定した後に、前記ＩＤ情報によって各素子を識別されつつ、前記読み取り部材が、前記インクユニット支持部材に配列されたインクユニットに備えられた各素子に記憶されたＩＤ情報以外の情報を前記印刷装置によって読み取られることを特徴とするインクユニット。
【請求項８】　請求項７に記載のインクユニットにおいて、
　前記ＩＤ情報は、前記素子が前記インクユニットに取り付けられる前に、該素子に記憶させられた該素子固有の情報であることを特徴とするインクユニット。
【請求項９】　請求項７又は請求項８に記載のインクユニットにおいて、
　前記インクユニットは、前記インクユニット支持部材に対して着脱自在であることを特徴とするインクユニット。
【請求項１０】　情報を記憶可能であって、インクユニットに備えられて、該インクユニットとともにインクユニット支持部材に複数配列され、印刷装置本体に設けられた読み取り部材により、記憶された情報を非接触にて読み取られる素子において、
　前記インクユニット支持部材に複数配列されたインクユニットすべてについて、前記インクユニットに備えられた素子に記憶されたＩＤ情報が、前記素子に記憶されたＩＤ情報が、前記読み取り部材によって読み取られ、前記複数配列されたインクユニットすべてについての前記インクユニット支持部材における配列順番と、前記素子に記憶されたＩＤ情報との関係が前記印刷装置によって特定した後に、前記ＩＤ情報によって各素子を識別しつつ、前記読み取り部材が、前記インクユニット支持部材に配列されたインクユニットに備えられた各素子に記憶されたＩＤ情報以外の情報を前記印刷装置によって読み取られることを特徴とする素子。
【請求項１１】　請求項１０に記載の素子において、
　前記ＩＤ情報は、前記素子が前記インクユニットに取り付けられる前に、該素子に記憶させられる該素子固有の情報であることを特徴とする素子。
【請求項１２】　コンピュータ本体、このコンピュータ本体に接続される表示装置、及び、前記コンピュータ本体に接続される印刷装置であって、情報を記憶可能な素子を備えた複数のインクユニットと、前記複数のインクユニットが配列されたインクユニット支持部材と、前記素子に記憶された情報を非接触にて読み取る読み取り部材とを有し、
 前記インクユニット支持部材に複数配列されたインクユニットすべてについて、前記読み取り部材が該インクユニットに備えられた素子に記憶されたＩＤ情報を読み取り、前記複数配列されたインクユニットすべてについて前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取る印刷装置、を具備することを特徴とするコンピュータシステム。
【請求項１３】　情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
　前記インクユニット支持部材に配列された前記複数のインクユニットすべてについて、前記読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定する印刷装置であり、
　前記ＩＤ情報は、前記素子が前記インクユニットに取り付けられる前に、該素子に記憶させられた該素子固有の情報であり、
　前記インクユニットは、前記インクユニット支持部材に対して着脱自在であり、
　前記インクユニット支持部材は移動可能であって、前記読み取り部材が前記移動方向先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、前記読み取り部材が、未だＩＤ情報の読み取りを終えていない素子に記憶されたＩＤ情報を読み取り、
　前記インクユニット支持部材に複数配列されたインクユニットすべてについて、該インクユニット支持部材における配列順番と、該インクユニットに備えられた前記素子に記憶されたＩＤ情報との関係を特定した後に、
　前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
　前記ＩＤ情報によって各素子を識別しつつ、前記読み取り部材が、各素子に記憶されたＩＤ情報以外の情報を読み取ることを特徴とする印刷装置。
【請求項１４】　情報を記憶可能な素子を備えた複数のインクユニットと、前記複数のインクユニットが配列された移動可能なインクユニット支持部材と、前記素子に記憶された情報を非接触にて読み取る読み取り部材とを有する印刷装置において、
　前記インクユニット支持部材に配列された前記複数のインクユニットすべてについて、前記読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定した後に、前記読み取り部材が複数のインクユニットに備えられた素子に記憶された情報をそれぞれ読み取ることのできる位置に移動し、該位置にて該読み取り部材が該情報をそれぞれ読み取ることを特徴とする印刷装置。」
　
　本件補正により、請求項の数が１５から１４に変更された。
　ここで、本件補正前後の特許請求の範囲を比較すると、請求項の対応関係についてみるに、本件補正前の独立請求項である請求項１，８，１１，１３，１４，１５については、本件補正後の請求項１，７，１０，１２，１３，１４と、それぞれの記載が概ね一致している。また、従属請求項のうち、請求項２乃至４については本件補正前後において記載に変更がない。さらに、残りの従属請求項については、本件補正前の請求項６，７，９，１０，１２と、本件補正後の請求項５，６，８，９，１１とは、その引用する請求項の番号を除いて記載に変更がない。
　したがって、本件補正前の請求項１乃至４，６乃至１５が、それぞれ、本件補正後の請求項１乃至４，５乃至１４に対応するものであると認められる。
　
　上記請求項の対応関係を踏まえた上で本件補正についてみるに、本件補正は以下に挙げる事項を含むものである。
（イ）請求項５の削除
（ロ）独立請求項である請求項１，８，１１，１３，１４，１５に対し、イ
　　　ンクユニット支持部材に配列された複数のインクユニット「すべて」
　　　についてＩＤ情報を読み取る、と限定する補正
　
　ここで、上記補正事項（イ）は、平成１４年法律第２４号改正附則第２条第１項によりなお従前の例によるとされる同法による改正前の特許法第１７条の２第４項第１号に掲げられた、請求項の削除を目的とするものであると認められる。
　また、上記補正事項（ロ）は、平成１４年法律第２４号改正附則第２条第１項によりなお従前の例によるとされる同法による改正前の特許法第１７条の２第４項第２号に掲げられた、特許請求の範囲の減縮を目的とするものであると認められる。
　
　したがって、以下では、本件補正後の請求項１に係る発明（以下、「本件補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について検討する。
　
　
２−２．独立特許要件について
２−２−１．本件補正発明
　本件補正発明は、上記「２−１．本件補正について　（本件補正後の特許請求の範囲）」に示された、以下のとおりのものと認める。
「情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
　前記インクユニット支持部材に配列された前記複数のインクユニットすべてについて、前記読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。」
　
２−２−２．引用文献
　原査定の拒絶の理由に引用され、本願出願前に頒布された刊行物である特開平２−２７９３４４号公報（以下、「引用文献」という。）には、図示とともに以下に示す記載（い）〜記載（に）がある。
　
記載（い）
「（１）インク室を有するハウジングと該インク室と流体を連通する複数のオリフィスと該オリフィスを通して前記インク室からインクを噴出させる手段とを有するインクジェット印刷ヘッドにおいて、
　前記ハウジングには前記印刷ヘッドの動作特性に関するデータを記憶する記憶手段が備えられていることを特徴とするインクジェット印刷ヘッド。
（２）前記記憶手段が前記インク室内のインク色に関するデータを記憶していることを特徴とする請求項（１）記載のインクジェット印刷ヘッド。
（３）前記記憶手段が前記インク室内のインクの量に関するデータを記憶していることを特徴とする請求項（１）記載のインクジェット印刷ヘッド。」（特許請求の範囲（１）〜（３））
　
記載（ろ）
「第１図乃至第３図は、一つまたはそれ以上の印刷アッセンブリー１２、各印刷アッセンブリーに付随する記憶素子１４、プリンター回路１６、プリンター回路を記憶素子に接続するインターフェース１８を備えた本発明の実施例による印刷装置１０を示す。
　図示した印刷アッセンブリー１２は、ハウジング２０を備えたインクジェット印刷ヘッド、インク室２２、インク室と流体を連通ずる複数のオリフィス２６を有するオリフィス板２４、及びインクをオリフィスから噴出させるための複数の噴射用抵抗２８を備えている。印刷ヘッドのハウジング上には、複数のアラインメント機構３０が配設されており、関連するキャリッジ３４内の対応するアラインメント機構３２と協働して、印刷ヘッドが印刷装置１０内をキャリッジによって運ばれる際の適正な機械的アラインメントを確実にしている（適切なアラインメント機構と、関連するアラインメント技術とが米国特許第４，７５５，８３６号に示されており、その内容を参照してここに取り入れた　）。
　印刷ヘッド１２のハウジングには、記憶素子１４が取りつけてあり、この記憶素子は、たとえば、磁性媒体片、半導体メモリー、レーザーによる書込み読取りの可能な光学媒体等によって構成される。このメモリーには印刷ヘッドに関するデータが記憶される。かかる情報は、印刷ヘッドの本性（製造日、製造場所、ロット番号、シリアル番号、その他）、あるいは印刷ヘッドのある種の動作特性（オリフィスのアライメント、インク色、インクの液位、動作周波数、インクの希釈度、その他）を特性化する。このデータは印刷ヘッドから読み取られ、所望に応じ使用または表示されうる。」（公報第３頁左上欄第１４行〜同頁左下欄第４行）
　
記載（は）
「図示した実施例では、この更新はキャリッジ３４の通路近傍に取りつけられ印刷ヘッドがその位置を通過する都度印刷ヘッドの磁気片メモリー１４を読み書きする磁気読取／書込みヘッド４４によって行われる。好適には、プリンター１０が電源投入される都度、印刷ヘッド１２がこの読取／書込みヘッド４４を通過し、印刷ヘッドの磁気片メモリー上のインクの液位のデータが読みとられるのが望ましい。このデータは監視回路４２に付随する揮発性メモリー４６にロードされる。以降、プリンターが使用されると、監視回路は印刷ヘッドからのインクの噴出を反映して、このメモリー４６を減少していく。印刷ヘッドが読取／書込みヘッド４４を通過する都度、この減少された値はプリンター内部の揮発性メモリー４６から印刷ヘッドの磁気片１４に転送され、前の値を更新していく。このようにして、プリンターの揮発性メモリー４６は、印刷ヘッドに与えられる信号を監視することによって連続的に更新されて行く。印刷ヘッドの磁気片メモリー１４はメモリー４６からのデータ転送によって定期的（すなわち、読取／書込みヘッドを通過する都度）に更新される。プリンターの電源を落とすとメモリー４６のデータは消えるが、印刷ヘッドの磁気片メモリー上のデータは残り、プリンターの電源を次回投入する際に読み取られメモリー４６を再度初期化するのに使用される。印刷ヘッドをプリンターから外し他のプリンターに使用する場合、インクの残存量を示すデータは印刷ヘッドと共に新規のプリンターに移ることになる。」（公報第３頁右下欄第７行〜第４頁左上欄第１５行）
　
記載（に）
「同様に、本発明は印刷ヘッド上の磁気片メモリーに言及しつつ説明されてきたが、他の記憶素子も容易に採用されうる。もしメモリー上のデータをプリンターで更新する必要がなければ、印刷ヘッドの動作特性を符号化した光学バーコードを含めて、種々の読取専用メモリーを採用してもよい。また、印刷ヘッドとプリンターの間のデータ通信は、読取／書込みヘッドによってなされる必要はない。かわりに、光学的、あるいは無線のカップリング等、他の送信技術を用いることもできる。」（公報第６頁右上欄第４行〜１４行）
　
　第２図から、複数の印刷アッセンブリー１２が、キャリッジ３４に配列されていることが看取できる。
　
　記載（い）および記載（ろ）からみて、引用文献の「記憶素子１４」は、「印刷ヘッドの動作特性に関するデータ」として、「印刷ヘッドの本性（製造日、製造場所、ロット番号、シリアル番号、その他）」を含む情報を記憶しうるものである。
　そして、記載（い）における「請求項（２）」および「請求項（３）」の記載からみて、引用文献１における「記録素子１４」が記憶する「印刷ヘッドの動作特性に関するデータ」には、少なくとも「インク色」、「インクの量」が含まれるものであると認められる。
　してみると、引用文献１の「記憶素子１４」は、「印刷ヘッドの動作特性に関するデータ」として、「印刷ヘッドの本性（製造日、製造場所、ロット番号、シリアル番号、その他）、インク色、インクの量」を含む情報を記憶しうるものであると認められる。
　
　引用文献の明細書ならびに図面全体を参酌しつつ、上記記載（い）〜記載（に）を検討すると、引用文献には次の発明が記載されている（以下、「引用発明」という。）と認められる。
「記憶素子１４を備えた複数の印刷アッセンブリー１２と、前記複数の印刷アッセンブリー１２が配列されたキャリッジ３４と、前記記憶素子１４に記憶された情報を読み取る磁気読取／書込みヘッド４４とを有する印刷装置１０であって、前記印刷アッセンブリー１２について、前記磁気読取／書込みヘッド４４が該印刷アッセンブリー１２に備えられた記憶素子１４に記憶された印刷ヘッドの本性（製造日、製造場所、ロット番号、シリアル番号、その他）、インク色、インクの量等の情報を読み取る印刷装置１０。」
　
２−２−３．対比
　本件補正発明と引用発明とを対比する。
　引用発明における「記憶素子１４」は、本件補正発明における「情報を記憶可能な素子」に相当する。
　引用発明における「印刷アッセンブリー１２」は、「インク室２２」を備えているものであるから、本件補正発明における「インクユニット」に相当する。
　引用発明における「キャリッジ３４」は、本件補正発明における「インクユニット支持部材」に相当する。
　引用発明における「磁気読取／書込みヘッド４４」は、本件補正発明における「読み取り部材」に相当する。
　引用発明における「印刷ヘッドの本性（製造日、製造場所、ロット番号、シリアル番号、その他）」を示す情報は、各印刷アッセンブリー１２に固有の情報であると認められることから、本件補正発明における「ＩＤ情報」に相当する。
　引用発明における「インク色、インクの量等の情報」は、本件補正発明における「ＩＤ情報以外の情報」に相当する。
　
　してみると、本件補正発明と引用発明とは、以下の点で一致する。
＜一致点＞
「情報を記憶可能な素子を備えた複数のインクユニットと、前記複数のインクユニットが配列されたインクユニット支持部材と、前記素子に記憶された情報を読み取る読み取り部材とを有する印刷装置であって、前記インクユニットについて、前記読み取り部材が該インクユニットに備えられた素子に記憶されたＩＤ情報およびＩＤ情報以外の情報を読み取る印刷装置。」
　
　　一方で、本件補正発明と引用発明とは、以下の点で相違している。
＜相違点１＞
　本件補正発明における「読み取り部材」および「素子」は、素子に記憶された情報を「非接触」にて読み取るものと特定されるのに対し、引用発明における「読み取り部材」および「素子」は、素子に記憶された情報を接触して読み取るのか、それとも非接触にて読み取るのか明示がなく、上記特定を有するものであるかどうか不明である点
　
＜相違点２＞
　本件補正発明は、素子に記憶された「ＩＤ情報」と「ＩＤ以外の情報」を読み取る際に、「インクユニット支持部材に配列された複数のインクユニットすべてについて、読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取る」ものと特定されるのに対し、引用発明は「ＩＤ情報」と「ＩＤ以外の情報」をどのように読み取るものであるのか明示がなく、上記特定を有するものであるかどうか不明である点
　
２−２−４．判断
　上記各相違点について検討する。
　
＜相違点１＞について
　引用文献には、上記「２−２−２．引用文献　記載（に）」に示したように、インクユニットである印刷アッセンブリー１２と印刷装置１０間の情報通信のために、無線のカップリング、すなわち、非接触にて情報を通信する構成、を用いることが可能であると記載されている。
　したがって、上記記載を参考にして、引用発明における「読み取り部材」および「素子」を、素子に記憶された情報を「非接触」にて読み取る構成とすることは、当業者ならば当然なし得た設計事項である。
　
＜相違点２＞について
　引用発明は、複数のインクユニットを備え、かつ、各インクユニットに備えられた素子には、ＩＤ情報以外の情報として、インクの色に関する情報が記憶されているものである。　ここで、複数のインクユニットを有する印刷装置という技術分野において、起動時等に、インクユニット支持部材に配列された前記複数のインクユニットすべてについて、その配列順番を、前記複数のインクユニットがそれぞれ有しているＩＤ情報と対応させて、両者の関係を特定することにより、各インクユニットがどのような配列順番で装着されたかを認識する技術は、特開平４−２５００６６号公報（特に段落【００２７】参照。），特開平５−３１９０５号公報（特に段落【０１４２】参照。），特開２００１−１６２８２０号公報（特に段落【００４９】，【００６５】参照。）等に記載されているように、周知のものである。
　引用発明は、複数のインクユニットを使用して印刷を行うものであるから、各インクユニットがどのような配列順番で装着されたかを認識する必要性を有していたものであると考えられる。
　したがって、引用発明に対して、起動時等に、装着された複数のインクユニットの配列順番を認識するために、上記周知技術である、インクユニット支持部材に配列された前記複数のインクユニットすべてについて、その配列順番を前記複数のインクユニットがそれぞれ有しているＩＤ情報と対応させて、両者の関係を特定する構成を採用することは、当業者ならば容易に想到することができたものである。
　
　そして、引用発明は、素子に記憶されたＩＤ情報以外の情報として、インクの量等の各インクユニットに固有の情報であり、かつ、使用時に随時通信する必要がある情報を有しているものである。
　このような、各インクユニットに固有の情報であり、かつ、使用時に随時通信する必要がある情報を通信する場合において、素子に記憶されたＩＤ情報によって各インクユニットを識別しつつこれらの情報を読み取ることにより、これらの情報を管理することは、当業者ならば当然なし得た設計事項である。
　ここで、引用発明は、各インクユニットがそれぞれ固有のＩＤ情報を記憶する素子を有しているものであるから、各インクユニットを識別することは、各素子を識別していることにほかならない。
　
　したがって、引用発明において、起動時等に、インクユニット支持部材に配列された複数のインクユニットすべてについて、その配列順番を前記複数のインクユニットがそれぞれ有しているＩＤ情報と対応させて、両者の関係を特定した後に、随時、素子に記憶されたＩＤ情報によって各素子を識別しつつ、ＩＤ情報以外の情報を読み取るように設計することは、引用発明および周知技術から、当業者が容易に想到することができた事項に過ぎない。
　
　なお、上記相違点２に関して、本件補正発明における「インクユニット支持部材に配列された複数のインクユニットすべてについて、読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定」するとの記載からは、「配列順番」と「ＩＤ情報」の「関係を特定」する際に素子から読み取られる情報が、「ＩＤ情報」のみに限定されるものであるかどうか不明確であるので、本願の明細書を参酌するに、発明の詳細な説明に以下の記載がある。
「次に、インクユニットＩＮＣ１アクセス状態（ｓ１０１）では、キャリッジ２０が左側非印字領域まで移動して、左端のインクユニットＩＮＣ１のみと送受信部３０とがデータ送受信可能な位置に停止する。すなわち、送受信部３０のアンテナコイル３０１の右端付近が、記憶素子３１１の中央付近に対向するような位置であって、この位置では、送受信部３０は、インクユニットＩＮＣ２の記憶素子３１２とは遠すぎてデータ送受信することができないような位置である。この停止位置にて、まず記憶素子３１１に記録されたＩＤ情報を読み取る。
　次に、キャリッジ２０をインクユニット１つ分左方に移動した所にて停止させ、インクユニットＩＮＣ２の記憶素子３１２のＩＤ情報読み取りを実行する（ｓ１０２）。この停止位置では、記憶素子３１１ともアクセス可能なので、データの混信を防ぐために、記憶素子３１２に対して送受信部３０から送信するＩＤ情報読み取りコマンドに、既に読み取った記憶素子３１１のＩＤ情報を随伴させる。この記憶素子３１１のＩＤ情報を用いて、記憶素子３１１及び３１２の側で識別を行うことにより、間違いなく記憶素子３１２からのＩＤ情報を読み取ることができる。
　以降同様に、インクユニットＩＮＣ３〜６の記憶素子３１３〜３１６の読み取り動作を順次行う（ｓ１０３〜ｓ１０６）。記憶素子３１６のＩＤ情報を読み取った（ｓ１０６）後で、キャリッジ２０を右側非印字領域などの位置に戻し、本ＩＤ情報読み取りルーチンを終了する。以上で各記憶素子３１１〜３１６のＩＤ情報を全て取得したので、プリンタ１０本体側では、その配列について把握することができる。すなわち、最も左側には、記憶素子３１１から読み取ったＩＤ情報に相当するインクユニット（ＩＮＣ１）が配置されており、その右側に隣接する位置には記憶素子３１２から読み取ったＩＤ情報に相当するインクユニット（ＩＮＣ２）が配置されているといった様に、全インクユニットＩＮＣ１〜６のキャリッジ２０内における配列順番が記録されたことになる。」（段落【００７０】〜【００７２】）
　上記記載は、「配列順番」と「ＩＤ情報」の「関係を特定」する際の手順を示すものであるが、該記載からは、素子から読み取られる情報として、少なくとも「ＩＤ情報」が必要であることを示すものに過ぎない。
　つまり、本願の明細書を参酌しても、「配列順番」と「ＩＤ情報」の「関係を特定」する際に素子から読み取られる情報が、「ＩＤ情報」のみに限定されるとまでは解釈することができないものである。
　してみると、本件補正発明における上記「インクユニット支持部材に配列された複数のインクユニットすべてについて、読み取り部材が該インクユニットに備えられた素子に記憶されたＩＤ情報を読み取り、前記複数のインクユニットすべてについて前記インクユニット支持部材における配列順番と、該インクユニットに備えられた前記素子に記憶されたＩＤ情報との関係を特定」するとの事項は、上記において文献を例示して示した、インクユニットの「配列順番」と「ＩＤ情報」の「関係を特定」する周知技術と、技術的に異なるところがないものである。
　
２−２−５．独立特許要件についてのまとめ
　上記のとおりであるから、＜相違点１＞および＜相違点２＞は、引用発明、引用文献に記載された技術事項および周知技術に基づいて、当業者が容易に想到することができたものであり、それにより得られる効果も、当業者ならば予測することができた程度のものに過ぎない。
　
　よって、本件補正発明は、引用発明、引用文献に記載された技術事項および周知技術に基づいて、当業者が容易に発明をすることができたものであるから、特許法第２９条第２項の規定により特許出願の際独立して特許を受けることができない。
　すなわち、本件補正は平成１８年法律第５５号改正附則第３条第１項によりなお従前の例によるとされる同法による改正前の特許法第１７条の２第５項において準用する同法第１２６条第５項の規定に違反している。
　
　
２−３．補正却下の決定のむすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　よって、補正の却下の決定の結論のとおり決定する。
　
　
　
３．本願発明について
３−１．本願発明
　本件補正は上記のとおり却下されたため、本願の請求項１乃至１５に記載された発明は、平成１８年１月２６日付け手続補正書にて補正された前記「２−１．本件補正について　（本件補正前の特許請求の範囲：平成１８年１月２６日付け手続補正書）」にて示したとおりのものであるところ、請求項１に係る発明（以下、「本願発明」という。）は、次のとおりのものである。
「情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
　前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。」
　
　
３−２．引用文献
　原査定の拒絶の理由で引用された引用文献およびこれらの記載事項は、前記「２−２−２．引用文献」に記載したとおりである。
　
　
３−３．対比・判断
　本願発明は、前記「２−２．独立特許要件について」で検討した本件補正発明から、インクユニット支持部材に配列された複数のインクユニット「すべて」についてＩＤ情報を読み取る、との限定を省いたものに相当する。
　そうすると、本願発明の構成要件を全て含み、さらに他の構成要件を付加したものに相当する本件補正発明が、上記「２−２．独立特許要件について」に記載したとおり、引用発明、引用文献に記載された技術事項および周知技術に基づいて、当業者が容易に発明をすることができたものであるから、本願発明も同様の理由により、引用発明、引用文献に記載された技術事項および周知技術に基づいて、当業者が容易に発明をすることができたものである。
　
　
３−４．むすび
　以上のとおり，本願発明は、特許法第２９条第２項の規定により特許を受けることができないものである。
　したがって、その余の請求項について論及するまでもなく、本願は、拒絶すべきものである。
　よって，結論のとおり審決する。